(57)【要約】【課題】この発明は、作業員による手間を低減でき、誤記や汚損を防止できる免許証処理システムを提供することを課題とする。【解決手段】免許証処理システム１は、モニタ２２やキーボード２４を有するパーソナルコンピュータ２、リーダライタ４、スキャナ６、およびプリンタ８を有する。免許証の裏面に変更内容を印字する場合、スキャナ６で裏面の画像を読み取ってモニタ２２を介して表示し、マウス２５等により書き出し行を指定する。そして、プリンタ８に免許証をセットして、指定した書き出し行から変更内容を印字する。【選択図】      図１
2005262656.tif 000002
【特許請求の範囲】
【請求項１】
免許証の記載内容に変更があった場合に免許証の裏面に変更内容を印字する免許証処理システムであって、
免許証の裏面の画像を読み取る読取部と、
読み取った画像を表示する表示部と、
表示した画像に基づいて上記変更内容の書き出し行を指定するとともに当該変更内容を入力する入力部と、
上記入力部を介して指定された書き出し位置から上記入力部を介して入力された変更内容を印字する印字部と、
を有することを特徴とする免許証処理システム。
【請求項２】
上記入力部を介して指定された書き出し行、および上記入力部を介して入力された変更内容に基づいて、当該変更内容を裏面に印字可能か否かを判断する判断部をさらに有することを特徴とする請求項１に記載の免許証処理システム。
【請求項３】
上記判断部が当該変更内容の印字不可能を判断した場合、上記印字部における当該変更内容の印字をやめ、印字不可能であることを上記表示部を介して表示することを特徴とする請求項２に記載の免許証処理システム。
【請求項４】
上記免許証は、データを記憶可能なＩＣチップを内蔵しており、
上記ＩＣチップにデータを書き込むとともにＩＣチップからデータを読み取るリーダライタをさらに有することを特徴とする請求項１に記載の免許証処理システム。
【請求項５】
免許証の記載内容に変更があった場合に免許証の裏面に変更内容を印字する免許証処理システムであって、
免許証の裏面の画像を読み取る読取部と、
読み取った画像から印字の最終行を検出して変更内容の書き出し行を指定する検出部と、
上記変更内容を入力するとともに、上記検出部で指定された書き出し位置を確定する入力部と、
上記入力部を介して確定された書き出し位置から上記入力部を介して入力された上記変更内容を印字する印字部と、
を有することを特徴とする免許証処理システム。
【請求項６】
上記読取部で読み取った裏面の画像を表示するとともに上記検出部で指定した変更内容の書き出し行を表示する表示部をさらに有することを特徴とする請求項５に記載の免許証処理システム。
【請求項７】
上記免許証は、データを記憶可能なＩＣチップを内蔵しており、
上記ＩＣチップにデータを書き込むとともにＩＣチップからデータを読み取るリーダライタをさらに有することを特徴とする請求項６に記載の免許証処理システム。
【請求項８】
免許証の記載内容に変更があった場合に免許証の裏面に変更内容を印字する免許証処理システムであって、
免許証に内蔵されたＩＣチップに記憶されているデータを読み出すとともにＩＣチップにデータを書き込むリーダライタと、
このリーダライタを介してＩＣチップから読み取ったデータを表示する表示部と、
表示したデータ内容に基づいて上記変更内容の書き出し行を指定するとともに当該変更内容を入力する入力部と、
当該免許証の裏面に対し、上記入力部を介して指定された書き出し位置から上記入力部を介して入力された変更内容を印字する印字部と、
を有することを特徴とする免許証処理システム。
【請求項９】
免許証の記載内容に変更があった場合に免許証の裏面に変更内容を印字する免許証処理システムであって、
免許証に内蔵されたＩＣチップに記憶されているデータを読み出すとともにＩＣチップにデータを書き込むリーダライタと、
このリーダライタを介してＩＣチップから読み取ったデータのうち裏面に記載した情報の最終行に関するデータに基づいて上記変更内容の書き出し位置を指定する指定部と、
上記変更内容を入力するとともに、上記指定部で指定された書き出し位置を確定する入力部と、
上記入力部を介して確定された書き出し位置から上記入力部を介して入力された上記変更内容を印字する印字部と、
を有することを特徴とする免許証処理システム。
【請求項１０】
上記ＩＣチップには、当該免許証の裏面に印字されている情報の最終行に関するデータが書き込まれており、
上記指定部は、上記リーダライタを介してＩＣチップから読み取った上記最終行に関するデータに基づいて、上記変更内容の書き出し位置を指定することを特徴とする請求項９に記載の免許証処理システム。
【発明の詳細な説明】
【技術分野】
【０００１】
この発明は、自動車の運転免許証に変更内容を記載する免許証処理システムに関する。
【背景技術】
【０００２】
通常、自動車の運転免許証の記載内容に変更がある場合、免許証の裏面に変更内容を手書またはスタンプにより印字する。例えば、免許証の所有者が住所を変更した場合など、新住所が手書によって当該免許証の裏面に記載される。
【０００３】
しかし、このように、免許証の裏面に手書やスタンプにより変更内容を記載すると、誤記や汚損の可能性があった。また、手書によって変更内容を記載する場合、作業員の手間がかかっていた。
【発明の開示】
【発明が解決しようとする課題】
【０００４】
この発明の目的は、作業員による手間を低減でき、誤記や汚損を防止できる免許証処理システムを提供することにある。
【課題を解決するための手段】
【０００５】
上記目的を達成するため、本発明の免許証処理システムは、免許証の記載内容に変更があった場合に免許証の裏面に変更内容を印字するものであって、免許証の裏面の画像を読み取る読取部と、読み取った画像を表示する表示部と、表示した画像に基づいて上記変更内容の書き出し行を指定するとともに当該変更内容を入力する入力部と、上記入力部を介して指定された書き出し位置から上記入力部を介して入力された変更内容を印字する印字部と、を有する。
【０００６】
上記発明によると、免許証の裏面に既に印字されている情報の最終行をオペレータが確認して、変更内容の書き出し行を入力部を介して指定できるため、印字部にて変更内容を適切な行から自動的に印字できる。また、上記発明によると、免許証の裏面に変更内容を自動的に印字でき、手書やスタンプによる誤記や汚損を防止できる。
【０００７】
また、本発明の免許証処理システムは、免許証の記載内容に変更があった場合に免許証の裏面に変更内容を印字するものであって、免許証の裏面の画像を読み取る読取部と、読み取った画像から印字の最終行を検出して変更内容の書き出し行を指定する検出部と、上記変更内容を入力するとともに、上記検出部で指定された書き出し位置を確定する入力部と、上記入力部を介して確定された書き出し位置から上記入力部を介して入力された上記変更内容を印字する印字部と、を有する。
【０００８】
上記発明によると、検出部にて印字の最終行を自動的に検出して書き出し行を自動的に指定できるため、オペレータは検出部で指定した書き出し行を確定するだけで良く、さらに利便性を向上させることができる。
【０００９】
また、本発明の免許証処理システムは、免許証の記載内容に変更があった場合に免許証の裏面に変更内容を印字するものであって、免許証に内蔵されたＩＣチップに記憶されているデータを読み出すとともにＩＣチップにデータを書き込むリーダライタと、このリーダライタを介してＩＣチップから読み取ったデータを表示する表示部と、表示したデータ内容に基づいて上記変更内容の書き出し行を指定するとともに当該変更内容を入力する入力部と、当該免許証の裏面に対し、上記入力部を介して指定された書き出し位置から上記入力部を介して入力された変更内容を印字する印字部と、を有する。
【００１０】
上記発明によると、ＩＣチップから読み出した裏面の記載内容に関するデータを表示して、この表示内容に基づいて変更内容の書き出し行をオペレータが指定するようにしたため、裏面の画像を取得するためのＯＣＲ等の読取部が不要となり、装置構成を簡略化できる。
【００１１】
更に、本発明の免許証処理システムは、免許証の記載内容に変更があった場合に免許証の裏面に変更内容を印字するものであって、免許証に内蔵されたＩＣチップに記憶されているデータを読み出すとともにＩＣチップにデータを書き込むリーダライタと、このリーダライタを介してＩＣチップから読み取ったデータのうち裏面に記載した情報の最終行に関するデータに基づいて上記変更内容の書き出し位置を指定する指定部と、上記変更内容を入力するとともに、上記指定部で指定された書き出し位置を確定する入力部と、上記入力部を介して確定された書き出し位置から上記入力部を介して入力された上記変更内容を印字する印字部と、を有する。
【００１２】
上記発明によると、ＩＣチップから読み出した裏面の最終行に関するデータに基づいて書き出し行を指定するようにしたため、データ処理をさらに簡略化できる。
【発明の効果】
【００１３】
この発明の免許証処理システムは、上記のような構成および作用を有しているので、作業員による手間を低減でき、誤記や汚損を防止できる。
【発明を実施するための最良の形態】
【００１４】
以下、図面を参照して、この発明の実施の形態に係る免許証処理システム１（以下、単に、システム１と称する）について説明する。このシステム１は、例えば自動車の運転免許証の記載内容に変更があった場合にこの運転免許証の裏面に変更内容を印字するためのものである。
【００１５】
図１には、システム１の概略構成を示してある。システム１は、パーソナルコンピュータ２（以下、ＰＣ２と称する）に対し、リーダライタ４（以下、Ｒ／Ｗ４と称する）、スキャナ６、およびプリンタ８をＵＳＢ接続して構成されている。なお、このシステム１で処理する処理対象としての免許証Ｍは、図２に示すように、データの書き込みおよび読み出しが可能なＩＣチップ１０を内蔵している。
【００１６】
ＩＣチップ１０には、免許証Ｍの発行時に免許証の表面に記載した住所や氏名などの個人情報を含む各種データの他に、免許証の裏面に記載された「眼鏡等」などの各種データが記憶される。より具体的には、図２に示すように、ＩＣチップ１０には、表面記載内容として、氏名、本籍、住所、交付年月日、有効年月日、免許の条件、免許証番号などに関する表面データが記憶され、裏面記載内容として、変更日付、氏名、本籍、住所、呼び名、条件、条件解除、備考などに関する裏面データが記憶される。
【００１７】
システム１のＰＣ２は、本発明の表示部として機能するモニタ２２、本発明の入力部として機能するキーボード２４およびマウス２５、および本発明の判断部、検出部、または指定部として機能するＰＣ本体２６を有する。また、スキャナ６は、本発明の読取部として機能し、プリンタ８は、本発明の印字部として機能する。
【００１８】
以下、上記構成のシステム１による処理動作について、図３に示すフローチャート、および図４、図５を参照して説明する。  
免許証Ｍの裏面に変更内容を印字する場合、まず、オペレータによって処理対象となる免許証ＭがＲ／Ｗ４に投入される。そして、ＰＣ２は、図３にステップ１として示すように、Ｒ／Ｗ４を制御して当該免許証Ｍに内蔵されたＩＣチップからデータを読み出す。このとき、ＩＣチップから読み出されるデータとして、免許証Ｍの表面に記載した内容に関する表面データ、および裏面に記載した内容に関する裏面データがある。
【００１９】
この後、ＰＣ２は、ステップ２に示すように、ステップ１で当該免許証ＭのＩＣチップ１０から読み取ったデータをモニタ２２を介して表示する。オペレータは、モニタ２２を介して表示された内容を確認し、ステップ３に示すように、今回記載する変更内容をキーボード２４またはマウス２５を介して入力する。そして、オペレータは、当該免許証をＲ／Ｗ４から取り出して、スキャナ６にセットする。このとき、免許証Ｍは、その裏面の画像を読み取り可能なようにスキャナ６にセットされる。
【００２０】
この後、ＰＣ２は、ステップ４に示すように、スキャナ６を制御して、セットされた免許証Ｍの裏面の画像を読み取り、読み取った裏面の画像をモニタ２２を介して表示する。また、このとき、ＰＣ２は、ステップ５に示すように、スキャナ６を介して読み取った画像から既に印字されている文字情報の最終行を自動的に検出し、変更内容を印字することのできる行、すなわち書き出し行を自動的に取得する。
【００２１】
この際、例えば、図４に示すような裏面の画像がモニタ２２を介して表示され、ＰＣ２は、図４に[1]で示すように左蘭の１行目に文字が記載されているか否かを判断する。このとき、ＰＣ２は、１行目の左から１文字目、２文字目、３文字目のエリアを順にスキャニングし、それぞれのエリア内にある白黒ドットの比率を測定し、測定した比率が予め設定したしきい値を超えているエリアに文字があることを判断する。ＰＣ２は、この作業を繰り返し、図中[2]で示すように左蘭の各行に文字が記載されているか否かを検査し、続いて図中[3]に示すように右欄に移行し、図中[4]に示すように右欄を検査する。
【００２２】
或いは、この際、ＰＣ２は、図５に示すような画像をモニタ２２を介して表示し、変更内容の書き出し行をオペレータに指定させても良い。つまり、ＰＣ２が自動取得した書き出し行の番号を所定欄に表示し、オペレータによるマウス操作によってこの番号をクリックして確定するようにしても良い。または、各行に予め付与した行番号を表示し、行番号のクリックにより書き出し行を指定するようにしても良い。図５に示す例では、左欄の１行目に眼鏡等という文字が既に印字されているため、書き出し行として番号“２”が表示されている。
【００２３】
ステップ５で説明したように変更内容の書き出し行が検出されると、ＰＣ２は、ステップ３で入力された変更内容の文字数に基づいて、ステップ６に示すように、当該変更内容を免許証Ｍの裏面に印字可能か否かを判断する。つまり、ＰＣ２は、変更内容の全ての文字を裏面の残りの行に印字可能か否かを自動的に判断する。
【００２４】
変更内容を印字可能であることを判断すると、ＰＣ２は、ステップ７に示すように、ステップ５で検出した書き出し行からステップ３で入力された変更内容を免許証Ｍの裏面に印字する。この際、予め、オペレータによって当該免許証Ｍがスキャナ６から取り出されてプリンタ８にセットされている。
【００２５】
この後、オペレータは、当該免許証Ｍをプリンタ８から取り出して再びＲ／Ｗ４に投入し、ＰＣ２は、ステップ８に示すように、当該変更内容を当該免許証ＭのＩＣチップ１０に記憶する。
【００２６】
一方、ステップ６の判断の結果当該変更内容を裏面に印字できないことが判断された場合、ステップ９に示すように、ＰＣ２は、当該変更内容の印字をやめ、モニタ２２を介して、例えば「印字できません。シールを貼ってください。」などのメッセージを表示する。この後、オペレータは、メッセージに従い、免許証Ｍをスキャナ６から取り出し、その裏面に予め用意した裏面シールを貼り、プリンタ８にセットする。
【００２７】
以上のように、本発明によると、変更内容の書き出し行をＰＣ２が自動的に検出するため、オペレータは、免許証Ｍをプリンタ８にセットするだけで良く、裏面に対する変更内容の自動印字が可能となる。これにより、従来の手書やスタンプによる方法と比較して、オペレータの手間を低減でき、変更内容の誤記や裏面の汚損を防止できる。
【００２８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２９】
例えば、上述した実施の形態では、ＰＣ２が変更内容の書き出し行を自動的に検出した場合について説明したが、これに限らず、モニタ２２を介して裏面の画像を表示し、オペレータの入力操作によって書き出し行を指定するようにしても良い。
【００３０】
また、上述した実施の形態では、ＩＣチップ１０から読み取ったデータをモニタ２２を介して表示したが、表示せずにＰＣ２が書き出し行を自動的に取得し、この書き出し行から変更内容を印字するようにしても良い。或いは、ＩＣチップ１０に記憶されているデータを読み出すことなく、スキャナ６によって免許証Ｍの裏面の画像を読み取って、この裏面の画像に基づいて書き出し行を検出或いは指定しても良い。この場合、Ｒ／Ｗ４が不要となり、装置構成を簡略化できる。
【００３１】
また、ＩＣチップ１０に、予め、裏面に記載した文字の最終行に関するデータを記憶しておき、この最終行に関するデータを読み取って変更内容を印字するようにしても良い。この場合、データ処理をさらに簡略化できる。
【図面の簡単な説明】
【００３２】
【図１】この発明の実施の形態に係る免許証処理システムの構成を示す概略図。
【図２】図１のシステムで処理する免許証およびＩＣチップ内データを示す図。
【図３】図１のシステムにおける処理動作を説明するためのフローチャート。
【図４】免許証の裏面の画像例を示す図。
【図５】免許証の裏面に印字する文字の書き出し行を指定するための画面例を示す図。
【符号の説明】
【００３３】
１…免許証処理システム、２…パーソナルコンピュータ、４…リーダライタ、６…スキャナ、８…プリンタ、１０…ＩＣチップ、２２…モニタ、２４…キーボード、２５…マウス、２６…ＰＣ本体、Ｍ…免許証。
【図１】
2005262656.tif 000003
【図２】
2005262656.tif 000004
【図３】
2005262656.tif 000005
【図４】
2005262656.tif 000006
【図５】
2005262656.tif 000007